(57)【特許請求の範囲】
【請求項１】
挿入口を有するケースの内部に、ディスクを保持して回転駆動する回転駆動部と、前記挿入口と前記回転駆動部との間に位置してディスクを搬入し搬出する搬送機構とが設けられたディスク装置において、
前記ケースの内部は、前記回転駆動部の回転中心を通ってディスク搬送方向に延びる搬送基準線を挟む一方の側が第１の領域で、他方の側が第２の領域であり、第１の領域の側部に機構配置部が配置されており、
前記ケース内の第１の領域に、前記挿入口に向けて搬出されるディスクの縁部を前記機構配置部から離れる向きに案内する第１の案内部が設けられ、第２の領域に、前記第１の案内部よりも前記挿入口側に位置して、前記第１の案内部で案内されたディスクを搬送基準線に向けて案内する第２の案内部が設けられていることを特徴とするディスク装置。
【請求項２】
前記第１の案内部で案内されたディスクの中心が、第２の領域内を移動する請求項１記載のディスク装置。
【請求項３】
第１の領域に、前記第２の案内部と対向する第３の案内部が設けられて、搬出されるディスクの縁部が、前記第２の案内部と前記第３の案内部との間を通過して前記挿入口に送り出され、
前記第２の案内部が前記第３の案内部よりも前記挿入口に近い位置にあり、前記第２の案内部の挿入口側の端部と、前記第３の案内部の挿入口側の端部とを結ぶ最短距離が、ディスクの直径よりも大きい請求項１または２記載のディスク装置。
【請求項４】
前記挿入口の幅方向の中心が前記搬送基準線上に位置している請求項１ないし３のいずれかに記載のディスク装置。
【請求項５】
前記搬送基準線が、前記ケースの幅方向を二分する中心に位置している請求項１ないし４のいずれかに記載のディスク装置。
【発明の詳細な説明】
【技術分野】
【０００１】
本発明は、ケースに形成されたスリット形状の挿入口からディスクが挿入されるディスク装置に係り、特にケースの内部のスペースを効率的に使用でき、且つディスクをスムースに搬出できるディスク装置に関する。
【背景技術】
【０００２】
特許文献１に記載されているディスク装置は、ケースの前部に開口したスリット状の挿入口からディスクがディスク面に沿う向きに挿入されるいわゆるスロットイン方式を採用している。このディスク装置は、ケースの内部に搬送ローラを有する搬送機構が設けられて、挿入口から挿入されたディスクが搬送ローラの回転力でケースの内方へ搬入される。ケース内には、回転駆動部が設けられ、搬入されたディスクの中心穴が、回転駆動部のターンテーブルに設置されて保持される。
【０００３】
回転駆動部に保持されたディスクはターンテーブルとともに回転させられて、光ヘッドなどを使用した情報の再生動作や記録動作が行われる。回転駆動部でのクランプが解除されたディスクは、搬送機構によって挿入口に向けて搬出される。
【先行技術文献】
【特許文献】
【０００４】
【特許文献１】特開２００９−３０１６８８号公報
【発明の概要】
【発明が解決しようとする課題】
【０００５】
ディスク装置は、車載用機器や他の電子機器などの限られた空間に配置されるため、ケースの大きさに制限を受けることが多い。
【０００６】
ディスク装置のケースの内部には、回転駆動部にクランプされた直径が１２ｃｍのディスクを回転させる駆動領域と、挿入口から挿入されたディスクを搬入し且つ挿入口へディスクを搬出する搬送領域を確保することが必要になる。一方、ケースの内部に、ディスクを回転駆動する回転駆動部やディスクを搬送する搬送機構、ならびにモータや伝達機構が配置されるが、これら機構は、前記駆動領域や搬送領域と重複しない場所に配置されることが必要である。
【０００７】
ケース内では、全ての機構を、前記駆動領域や搬送領域に対してディスクの板厚方向へ重なる領域に配置することができず、いずれかの機構を、搬送領域の側方に配置することが必要になる。例えば、搬送ローラに回転動力を伝達する歯車伝達機構や、回転駆動部にディスクをクランプするクランプ機構への動力伝達機構などは搬送領域の側方に配置せざるを得ない。
【０００８】
そのため、ケースの幅寸法は、前記駆動領域ならびに搬送領域の幅寸法に、前記機構を配置するための機構配置部の幅寸法を加算した寸法以上の大きさにしなくてはならない。小型のケースを構成しようとして、前記機構配置部を搬送領域に接近させすぎたり、搬送領域と重複する位置に配置すると、回転駆動部でクランプを解除したディスクを挿入口から搬出させるときに、ディスクが機構配置部に当たりやすくなって、ディスクの搬出不良が発生しやすくなる。
【０００９】
本発明は上記従来の課題を解決するものであり、伝達機構などが配置される機構配置部をディスクの搬送領域に接近させ、またはわずかに重複させたとしても、クランプが解除されたディスクを挿入口に確実に排出でき、その結果、ケースの小型化を実現しやすくなるディスク装置を提供することを目的としている。
【課題を解決するための手段】
【００１０】
本発明は、挿入口を有するケースの内部に、ディスクを保持して回転駆動する回転駆動部と、前記挿入口と前記回転駆動部との間に位置してディスクを搬入し搬出する搬送機構とが設けられたディスク装置において、
前記ケースの内部は、前記回転駆動部の回転中心を通ってディスク搬送方向に延びる搬送基準線を挟む一方の側が第１の領域で、他方の側が第２の領域であり、第１の領域の側部に機構配置部が配置されており、
前記ケース内の第１の領域に、前記挿入口に向けて搬出されるディスクの縁部を前記機構配置部から離れる向きに案内する第１の案内部が設けられ、第２の領域に、前記第１の案内部よりも前記挿入口側に位置して、前記第１の案内部で案内されたディスクを搬送基準線に向けて案内する第２の案内部が設けられていることを特徴とするものである。
【００１１】
例えば、前記第１の案内部で案内されたディスクの中心が、第２の領域内を移動するものとなる。
【００１２】
本発明のディスク装置は、第１の領域に配置された機構配置部がディスクの搬送領域に接近しまたは重複していても、ディスクを機構配置部に当たることなく挿入口へ搬出させることができる。そのため、ケースの内部の空間を有効に利用でき、ケースの幅寸法を従来のものよりも小さく構成することが可能になる。
【００１３】
本発明は、第１の領域に、前記第２の案内部と対向する第３の案内部が設けられて、搬出されるディスクの縁部が、前記第２の案内部と前記第３の案内部との間を通過して前記挿入口に送り出され、
前記第２の案内部が前記第３の案内部よりも前記挿入口に近い位置にあり、前記第２の案内部の挿入口側の端部と、前記第３の案内部の挿入口側の端部とを結ぶ最短距離が、ディスクの直径よりも大きいものとして構成できる。
【００１４】
上記構成では、第２の案内部と第３の案内部の搬送基準線と直交する向きでの最短距離が、ディスクの直径に近似しまたは直径よりも短くても、第２の案内部と第３の案内部との間にディスクを通過させることができる。
【００１５】
本発明は、前記挿入口の幅方向の中心が前記搬送基準線上に位置しているものとして構成でき、さらに、前記搬送基準線が、前記ケースの幅方向を二分する中心に位置しているものとして構成できる。
【発明の効果】
【００１６】
本発明は、第１の領域の機構配置部を、ディスクの搬送領域に接近させ、または搬送領域と重複させても、ディスクを確実に搬出させることが可能になる。機構配置部の配置に自由度を生じさせるとともに、ケースの小型化も実現しやすくなる。
【図面の簡単な説明】
【００１７】
【図１】本発明の実施の形態のディスク装置を示す平面図、
【図２】機構配置部と第２の案内部とを拡大して示す部分斜視図、
【図３】図２に示す機構配置部と第２の案内部をＩＩＩ−ＩＩＩ線で切断した断面図、
【図４】第２の案内部ならびに第３の案内部とディスクの位置関係を示す部分斜視図、
【図５】第２の案内部ならびに第３の案内部とディスクの位置関係を示す部分平面図、
【発明を実施するための形態】
【００１８】
図１に示すディスク装置１は、金属製の筐体２と、筐体２の前方に設置された合成樹脂製のパネル３とを有し、パネル３に、図１の左右方向に細長いスリット形状の挿入口４が開口している。筐体２とパネル３とで、ディスク装置１のケースが構成されている。
【００１９】
ディスク装置１は車載用であり、筐体２が自動車の車室内のインストルメントパネルまたはダッシュボードに埋設され、パネル３がその表面に現れるように設置される。
【００２０】
筐体２の内部には図２に示す機構シャーシ８が設けられている。機構シャーシ８は、筐体２の内部でオイルダンパーや引っ張りコイルばねなどの弾性部材で支持されている。図１に示すように、筐体２の内部に回転駆動部５が設けられている。回転駆動部５は、回転軸６と、この回転軸６に固定されたターンテーブル７と、前記回転軸６を回転させるスピンドルモータと、ディスクＤの中心穴Ｄａを、ターンテーブル７に保持させるクランプ部材とを有している。前記回転駆動部５のスピンドルモータは機構シャーシ８に搭載され、回転駆動されるディスクＤに記録された情報を読み取り、またはディスクＤに情報を書き込む光ヘッドも機構シャーシ８に搭載されている。
【００２１】
図１には、回転駆動部５の回転軸６の中心を通って、ディスクＤの搬送方向に延びる搬送基準線Ｏが示されている。搬送基準線Ｏは、筐体２の右側板２ａならびに左側板２ｂと平行で且つパネル３の表面の操作面３ａに垂直に延びている。搬送基準線Ｏは、筐体２ならびにパネル３の幅寸法Ｗ０を左右に二分する中心に設けられている。すなわち、回転駆動部５の回転軸６の中心は、筐体２の右側板２ａと左側板２ｂの中点に位置している。
【００２２】
本明細書では、筐体２の内部空間に関して、搬送基準線Ｏと左側板２ｂの内面とで挟まれた領域を第１の領域（Ｉ）と定義し、搬送基準線Ｏと右側板２ａの内面とで挟まれた領域を第２の領域（ＩＩ）と定義する。
【００２３】
パネル３に開口している挿入口４の開口幅寸法Ｗ１は、ディスクＤの直径よりもわずかに広く形成されている。挿入口４から挿入されて筐体２の内部に装填されるディスクＤは、直径が１２ｃｍの光ディスクであり、コンパクト・ディスク、ディジタル・バーサタイル・ディスク、ブルーレイディスクなどである。
【００２４】
回転駆動部５の回転軸６の中心を通る搬送基準線Ｏは、挿入口４の幅寸法Ｗ１を二分する位置を通過している。すなわち、挿入口４の幅方向の中心と回転軸６の中心は、筐体２を左右に二分している搬送基準線Ｏ上に位置している。
【００２５】
図１に示すように、パネル３の挿入口４と回転駆動部５との間に搬送機構１０が設けられている。搬送機構１０は、ローラ軸１１とこのローラ軸１１の外周に設けられた搬送ローラ１２，１２とを有している。
【００２６】
筐体２の天井板の下に合成樹脂製の摺動部材１３が固定されている。図４と図５に摺動部材１３が示されている。摺動部材１３の下面は、ディスクＤが摺動するディスク案内面１３ａである。また摺動部材１３の下面に、搬送ローラ１２，１２に上方から対向する凹形状のローラ対向面１３ｂが形成されている。
【００２７】
図２に示すように、挿入口４と機構シャーシ８との間に、ローラブラケット１５が設けられている。ローラブラケット１５には、図示左側にローラ支持板部１６ｂが折り曲げて形成され、図示右側に、図１に示すローラ支持板部１６ａが折り曲げられている。搬送ローラ１２，１２を保持しているローラ軸１１の右端部はローラ支持板部１６ａに回転自在に支持され、ローラ軸１１の左端部はローラ支持板部１６ｂに回転自在に支持されている。
【００２８】
図２に示すように、機構シャーシ８の図示左側に支持片８ａが設けられ、支持片８ａに固定された支持軸１４によってローラブラケット１５の左側のローラ支持板部１６ｂが回動自在に支持されている。機構シャーシ８の図示右側にも支持片が設けられ、この支持片に固定された支持軸によって右側のローラ支持板部１６ａが回転自在に支持されている。
【００２９】
挿入口４からのディスクＤの挿入を待機する待機モードおよびディスクＤを回転駆動部５に向けて搬入する搬入モードと、筐体２の内部のディスクを挿入口４から搬出する搬出モードでは、図２に示すように、ローラブラケット１５の前端部に掛けられた引っ張りコイルばね１７の弾性力によって、搬送ローラ１２，１２が、摺動部材１３のローラ対向面１３ｂまたはディスクＤの下面に弾圧されている。また、ディスクＤの中心部がターンテーブル７にクランプされているときは、図示しない切換機構により、ローラブラケット１５が引っ張りコイルばね１７の弾性力に対向する向きに回動させられて、搬送ローラ１２，１２が下方へ離れる。
【００３０】
図３に示すように、機構シャーシ８の下部に機構ブラケット２１が距離を空けて配置されている。機構シャーシ８と機構ブラケット２１は互いに固定されている。機構ブラケット２１には、図示左側において垂直に立ち上がる機構支持板２１ａが折り曲げられている。機構支持板２１ａにバーリング加工による軸部２２が一体に形成されており、軸部２２に伝達歯車２３が回転自在に支持されている。図１に示すように、機構支持板２１ａには前記伝達歯車２３と噛み合っている他の伝達歯車２４が回転自在に支持されている。
【００３１】
図２に示すように、左側のローラ支持板部１６ｂの内側にローラ歯車１８が設けられている。ローラ歯車１８はローラ軸１１に固定されており、ローラ歯車１８とローラ軸１１が一体となって回転できるようになっている。また、ローラ歯車１８の図示右側にフランジ１９が固定されている。
【００３２】
引っ張りコイルばね１７によってローラブラケットが回動させられて、搬送ローラ１２，１２がディスクＤに搬送力を与える搬送位置まで持ち上げられると、ローラ歯車１８が伝達歯車２３に噛み合う。ディスクＤを搬入し、搬出するときは、機構シャーシ８に搭載された搬送モータからの回転動力が、伝達歯車２４，２３を経てローラ歯車１８に伝達され、ローラ軸１１が回転駆動される。
【００３３】
図１と図２ならびに図３に示すように、前記伝達歯車２３，２４および伝達歯車２３に噛み合うローラ歯車１８が存在する領域が機構配置部２０である。機構配置部２０は、搬送基準線Ｏと左側板２ｂとの間の第１の領域（Ｉ）において、左側板２ｂに接近した位置に配置されている、機構配置部２０の左右の幅寸法はＷａで示されている。
【００３４】
筐体２の内部は、搬送ローラ１２，１２と摺動部材１３のディスク案内面１３ａとで挟まれたディスクＤが移動する領域がディスク搬送領域である。このディスク装置１は、ケースを構成する筐体２ならびにパネル３の幅寸法Ｗ０が従来のものよりも小型に構成されており、その結果、前記機構配置部２０が、ディスク搬送領域にきわめて接近した位置にあり、あるいはその一部がディスク搬送領域に入り込んだ位置に配置されている。すなわち、搬送基準線Ｏから機構配置部２０までの最短距離が、ディスクＤの半径とほぼ同じか、または半径よりもやや短くなっている。
【００３５】
図３に示すように、機構シャーシ８と機構ブラケット２１との間に、樹脂成形体３０が挟まれている。樹脂成形体３０の一部は、機構支持板２１ａの内側から上方に延びており、第１の壁部３１ａとそれよりも筐体２の奥側に位置する第２の壁部３１ｂが一体に形成されている。第１の壁部３１ａと第２の壁部３１ｂが第１の案内部３１である。
【００３６】
図２に示すように、第１の壁部３１ａと第２の壁部３１ｂは、伝達歯車２３などが位置する機構配置部２０よりもやや筐体２の奥側へ延びており、図３に示すように、第１の壁部３１ａと第２の壁部３１ｂは、ディスク搬送領域を通過するディスクＤと機構配置部２０との間に位置している。
【００３７】
図３に示すように、第１の案内部３１の第１の壁部３１ａは、軸部２２に回転自在に支持されている伝達歯車２３が軸部２２から抜け出るのを防止する抜け止め規制部材としての機能も発揮している。
【００３８】
図４と図５に、摺動部材１３が示されている。ディスクＤは、摺動部材１３の下面のディスク案内面１３ａと搬送ローラ１２，１２とで挟まれて搬入され搬出されるため、ディスク案内面１３ａと搬送ローラ１２，１２との間がディスク搬送領域である。
【００３９】
図４と図５に示すように、搬送基準線Ｏよりも右側の第２の領域（ＩＩ）において、摺動部材１３の下部に、ディスク搬送領域の右側に対向する案内壁３２が一体に形成されている。案内壁３２よりも挿入口４に近い位置に、案内壁３２から搬送基準線Ｏに向かって突出する第２の案内部３３が設けられている。図１に示すように、第２の案内部３３は、前記第１の案内部３１よりも挿入口４に近い位置に配置されている。
【００４０】
搬送基準線Ｏよりも左側の第１の領域（Ｉ）では、摺動部材１３の下部に、ディスク搬送領域の左側に対向する第３の案内部３４が形成されている。第３の案内部３４の壁面と前記案内壁３２の壁面は互いに平行に対向している。
【００４１】
図５に示すように、第２の案内部３３において挿入口４に最も近く且つ搬送基準線Ｏに最も近い点を端部３３ａとし、第３の案内部３４において挿入口４に最も近く搬送基準線Ｏに最も近い点を端部３４ａとする。第２の案内部３３の端部３３ａは第３の案内部３４の端部３４ａよりも挿入口４に接近した位置にある。
【００４２】
図５に示すように、第２の案内部３３の端部３３ａから搬送基準線Ｏと平行に延ばした線をＬａ、第３の案内部３４の端部３４ａから搬送基準線Ｏと平行に延ばした線をＬｂとしたときに、搬送基準線Ｏと直交する向きでの線Ｌａと線Ｌｂとの距離Ｂ０は、ディスクＤの直径よりもやや短く、あるいはディスクＤの直径とほぼ同等である。
【００４３】
これに対し、第２の案内部３３の端部３３ａと第３の案内部３４の端部３４ａとを最短距離で結ぶ連結線をＬ０とし、端部３３ａから連結線Ｌ０と直交して延びる線をＬ１、端部３４ａから連結線Ｌ０と直交して延びる線をＬ２としたとき、線Ｌ１と線Ｌ２との間の連結線Ｌ０に沿う向きでの距離Ｂ１は、ディスクＤの直径よりも長く、ディスクが十分に通過できる寸法に形成されている。
【００４４】
前記距離Ｂ０をディスクＤの直径よりもやや短く設定し、あるいはディスクＤの直径とほぼ同等に設定することで、筐体２の左右方向の幅寸法Ｗ０を短くでき、しかも、前記距離Ｂ１をディスクの直径よりも長くすることで、摺動部材１３の下面のディスク案内面１３ａを摺動しながら搬出されるディスクを挿入口４に向けて送り出すことができる。
【００４５】
次に、ディスク装置１の動作を説明する。
このディスク装置１は、挿入口４の幅寸法Ｗ１の中心が筐体２ならびにパネル３の幅寸法Ｗ０の中心に一致している。挿入口４へのディスクＤの挿入が図示しない光学検知部で検知されると、搬送モータが始動し、その動力が伝達歯車２４から伝達歯車２３を経てローラ歯車１８に伝達され、ローラ軸１１が搬入方向へ回転し始める。ディスクＤは搬送ローラ１２，１２と、摺動部材１３の下面のディスク案内面１３ａとの間を筐体２の奥側へ向けて搬入される。
【００４６】
図５に示すように、挿入口４のすぐ内側に位置する第２の案内部３３と第３の案内部３４の最短距離、すなわち連結線Ｌ０の距離Ｂ１が、ディスクＤの直径よりも大きく設定されているため、搬入されるディスクＤは、第２の案内部３３と第３の案内部３４との間を大きな抵抗を受けることなく通過することができる。図１に示すように、図示左側の第１の領域では、機構配置部２０がディスク搬送領域に接近しまたはディスク搬送領域と重複して配置されている。しかし、機構配置部２０の直近に第３の案内部３４が位置し、図２に示すようにローラ歯車１８の内側にフランジ１９が設けられているため、第３の案内部３４とフランジ１９に案内されるディスクＤは、機構配置部２０で抵抗を受けることなく、筐体２の奥側へ搬入させることができる。
【００４７】
搬入されたディスクＤの中心穴Ｄａは、回転駆動部５のターンテーブル７に設置されてクランプされ、スピンドルモータの回転力でディスクＤが回転駆動されるとともに、光ヘッドで情報の再生動作や記録動作が行われる。
【００４８】
ディスクＤが挿入口４から回転駆動部５に向けて搬入されるとき、およびディスクＤが回転駆動部５から挿入口４へ向けて搬出されるときは、機構シャーシ８が筐体２の内部で動かないように拘束される。また、ターンテーブル７にクランプされたディスクＤを回転させて、光ヘッドによる再生動作などが行われるときは、機構シャーシ８の拘束が解除されて、機構シャーシ８が筐体２の内部で弾性部材に支持されて振動できるようになる。これにより、車体の振動が再生動作などに与える影響が低減される。
【００４９】
回転駆動部５の回転軸６の中心（回転中心）が、筐体２の幅方向の中心に位置しているため、ターンテーブル７に保持されているディスクＤの外周縁と右側板２ａとの間の最短距離δａと、ディスクＤの外周縁と左側板２ｂとの間の最短距離δｂをほぼ一致させることができる。その結果、筐体２の幅寸法Ｗ０を小さくしても、機構シャーシ８が弾性部材に支持されている状態で、ターンテーブル７に保持されているディスクＤの外周縁と、その両側の右側板２ａならびに左側板２ｂとの間に距離的な余裕を持たせることが可能になる。
【００５０】
ターンテーブル７で保持されていたディスクＤを搬出するときは、ターンテーブル７に対するディスクＤのクランプが解除されるとともに、図２に示すローラブラケット１５が回動して、搬送ローラ１２，１２によりディスクＤが持ち上げられ、搬送ローラ１２，１２と摺動部材１３のディスク案内面１３ａとでディスクＤが挟持される。このときに持ち上げられるディスクＤの中心穴Ｄａがターンテーブル７から上方へ外れる。ディスク案内面１３ａと搬送ローラ１２，１２とで挟持された位置がディスクＤの搬送領域であり、このときのディスクＤの高さは図３に示されている。
【００５１】
ローラ軸１１が搬出方向へ回転すると、搬送ローラ１２，１２の回転力によって、ディスクＤが挿入口４に向けて搬出されていく。図１に示すように、挿入口４へ向けて搬出されて行くディスクＤの中心が、回転駆動部５の中心に一致する（ｉ）の位置から（ｉｉ）の位置に至ると、ディスクＤの左側の外周縁が、第１の案内部３１を構成する第１の壁部３１ａと第２の壁部３１ｂのいずれかに当たって、ディスクＤ全体が右方向へ押されるように案内される。ディスクＤの外周縁が第１の案内部３１で案内されることで、ディスクＤの外周縁が機構配置部２０の伝達歯車２３，２４に当たることがない。
【００５２】
第１の案内部３１で押されたディスクＤの中心は（ｉｉｉ）に至り、搬送基準線Ｏよりも第２の領域（ＩＩ）に向けてわずかな距離Ｓだけ位置がずれる。さらに挿入口４に向けて移動するディスクＤの中心が（ｉｖ）に至ると、ディスクＤの右側の縁部が第２の案内部３３によって図示左側へ押し戻され、ディスクＤの中心が搬送基準線Ｏに沿う位置（ｖ）に復帰する。
【００５３】
パネル３に開口している挿入口４の幅方向の中心は搬送基準線Ｏに一致しているため、ディスクＤの中心が搬送基準線Ｏから距離Ｓだけずれたまま搬出され続けると、ディスクＤの縁部が、挿入口４の右側のエッジ部４ａに当たり、ディスクの搬出抵抗が大きくなって挿入口４からスムースに搬出できない現象が発生しやすくなる。ただし、本発明の実施の形態では、中心が（ｉｖ）の位置を移動していたディスクＤが第２の案内部３３によって搬送基準線Ｏと一致する位置（ｖ）まで戻されるので、ディスクＤを挿入口４のエッジ部４ａに当たることなく搬出することが可能になる。
【００５４】
挿入口４の内側では、図４と図５に示すように、搬出されるディスクＤの縁部が、摺動部材１３に形成された第２の案内部３３と第３の案内部３４との間を通過して挿入口４に至る。第２の案内部３３において挿入口４に最も近く且つ搬送基準線Ｏに最も近い端部３３ａと、第３の案内部３４において挿入口４に最も近く且つ搬送基準線Ｏに最も近い端部３４ａとの搬送基準線Ｏに直交する向きの距離Ｂ０が、ディスクＤの直径よりもわずかに小さく、またはディスクＤの直径とほぼ同等であったとしても、前記端部３３ａと前記端部３４ａとの最短距離Ｂ１がディスクＤの直径よりも大きいために、ディスクＤは、端部３３ａと端部３４ａとの間を通過して挿入口４に至ることができる。また、図４と図５に示すように、ディスクＤは端部３３ａと端部３４ａとで幅方向で確実に位置が規制されながら搬出されるため、ディスクＤの中心が、挿入口４の幅方向の中心に一致できるように、挿入口４に向けて搬出される。
【００５５】
実施の形態のディスク装置１は、挿入口４がケースの幅方向の中心に位置し、回転駆動部５の回転中心がケースの幅方向の中心に位置しているため、従来のディスク装置と同様に、左右のバランスが良く、どのような車載用機器などであっても適合させることができる。
【００５６】
しかも第１の領域（Ｉ）に配置した機構配置部２０を、ディスク搬送領域に接近させて配置しているため、ケースの幅寸法Ｗ０を従来のものよりも小型にでき、しかもディスクＤをスムースに搬出できるようになる。
【００５７】
前記実施の形態のディスク装置１は、第１の案内部３１が、機構シャーシ８と機構ブラケット２１の間に設けられた樹脂成形体３０と一体に形成され、第２の案内部３３と第２の案内部３４が、摺動部材１３の下部に一体に形成されているが、これら各案内部は他の部材と一体に形成されてもよいし、それぞれの案内部が単独の部材から構成されていてもよい。
【符号の説明】
【００５８】
１  ディスク装置
２  筐体
３  パネル
４  挿入口
５  回転駆動部
７  ターンテーブル
１０  搬送機構
１１  ローラ軸
１２  搬送ローラ
１３  摺動部材
１８  ローラ歯車
２０  機構配置部
２３，２４  伝達歯車
３１  第１の案内部
３３  第２の案内部
３４  第３の案内部
Ｄ  ディスク
（Ｉ）  第１の領域
（ＩＩ）  第２の領域
Ｏ  搬送基準線
【図１】
0005791539.tif 000002
【図２】
0005791539.tif 000003
【図３】
0005791539.tif 000004
【図４】
0005791539.tif 000005
【図５】
0005791539.tif 000006